(57)【要約】  【課題】  樹木周りの雑草が生えることを、美観を高めるために単体の置石を用いて実現することを課題とする。  【解決手段】  ２以上の石片を組み合わせて形成される樹木を装飾するための樹木装飾用置石であり、いずれかの石片同士の接合面が存する位置に樹木の幹を通す穴である樹木挿通穴が形成されるものである。このような構成により、樹木の幹が樹木挿通穴に入るように樹木の側面からこの接合面を合わせるようにして置石を組み合わせれば、樹木は単体の置石に設けられた樹木挿通穴から上方へと延びるような形態となり、単体の置石と樹木の組み合わせにより、樹木に対する美観が向上し、樹木の周りの地面は置石により覆われることで雑草が生えることが抑制される。【選択図】  図１
0003116824.tif 000002
【実用新案登録請求の範囲】
【請求項１】
２以上の石片を組み合わせて形成される樹木を装飾するための置石であって、
いずれかの石片同士の接合面が存する位置に樹木の幹を通す穴である樹木挿通穴が形成される樹木装飾用置石。
【請求項２】
前記樹木挿通穴が形成される接合面を構成する石片同士を互いに固定する石片固定手段を設けた請求項１に記載の樹木装飾用置石。
【請求項３】
前記樹木挿通穴が形成される接合面を構成する石片同士を交換することにより、前記樹木挿通穴の大きさを変更することができる請求項１又は２に記載の樹木装飾用置石。
【請求項４】
前記樹木挿通穴内壁に弾性体により形成される円筒体からなる間隙充填部材を有する請求項１から３のいずれか１項に記載の樹木装飾用置石。
【請求項５】
前記樹木挿通穴は、前記樹木の幹に内壁がほぼ接するものであって、少なくとも前記樹木の幹の２倍以上の深さを有する請求項１から３のいずれか１項に記載の樹木装飾用置石。
【考案の詳細な説明】
【技術分野】
【０００１】
本考案は、樹木の根元周辺に配置し装飾する置石に関する。
【背景技術】
【０００２】
庭や公園、ゴルフ場などにおいて、樹木の周りに生える雑草は美観をそこねるために適宜処理する必要があるが、草刈機を用いると樹木を傷める恐れがあり、除草剤も樹木に対して悪影響を与えてしまう。このような問題に対処するものとして、下記特許文献１、２に示は、樹木の根元の周りに砕石を敷くことで樹木周りの地面に光を当てないようにし、雑草が生えてくることを防止する技術が示されている。また、下記特許文献３には、コンクリートブロックを地面に敷くことで雑草が生える事を防ぐことが示されている。
【特許文献１】特開平８−７４２２１号公報
【特許文献２】特開平１０−６０８４９号公報
【特許文献３】特開平７−２６８８３０号公報
【考案の開示】
【考案が解決しようとする課題】
【０００３】
しかしながら、庭等の樹木は景観を高める目的で植えられることが多いが、上記特許文献１、２に示すような砕石は、平面的であり変化に乏しく美観の向上に資する側面は小さく、また、上記特許文献３に示すようなコンクリートブロックを用いるとかえって美観を損ねることとなってしまう。ところで、庭等の景観を高めるものとして樹木の他に置石が旧来から広く用いられており、置石を置いた部分には雑草等は生えないことから、置石を利用して樹木の周りに雑草が生えることを防止すれば、美観の向上にも資することができると考えられる。しかし、置石は単体で用いられることが一般的であり、樹木の周りに置石を複数配することは景観上好ましくなく、だからといって単体の置石では、樹木の周りの雑草を効果的に防ぐことは困難である。
本考案は、このような問題に鑑みて、樹木周りの雑草が生えることを、美観を高めるために単体の置石を用いて実現することを課題とする。
【課題を解決するための手段】
【０００４】
上記課題を解決するために、本考案は次のような構成を有する。
請求項１に記載の考案は、２以上の石片を組み合わせて形成される樹木を装飾するための樹木装飾用置石であり、いずれかの石片同士の接合面が存する位置に樹木の幹を通す穴である樹木挿通穴が形成されるものである。なお、石片は自然石から形成されるものだけでなく、人造石から形成されるものも含まれる。
請求項２に記載の考案は、前記樹木装飾用置石において、前記樹木挿通穴が形成される接合面を構成する石片同士を互いに固定する石片固定手段を設けたものである。なお、石片同士の固定は直接固定する場合だけでなく、間接的に固定する場合も含まれる。
請求項３に記載の考案は、前記樹木装飾用置石において、前記樹木挿通穴が形成される接合面を構成する石片同士を交換することにより、前記樹木挿通穴の大きさを変更することができるものである。
請求項４に記載の考案は、前記樹木装飾用置石において、前記樹木挿通穴内壁に弾性体により形成される円筒体からなる間隙充填部材を有するものである。
請求項５に記載の考案は、前記樹木装飾用置石において、前記樹木挿通穴は、前記樹木の幹に内壁がほぼ接するものであって、少なくとも前記樹木の幹の２倍以上の深さを有するものである。
【考案の効果】
【０００５】
請求項１に記載の考案は、石片を組み合わせて単体の置石が形成されるとともに、石片同士の接合面が存する位置に樹木の幹を通す樹木挿通穴が形成されているので、樹木の幹がこの樹木挿通穴に入るように樹木の側面からこの接合面を合わせるようにして置石を組み合わせれば、樹木は単体の置石に設けられた樹木挿通穴から上方へと延びるような形態となる。即ち、単体の置石と樹木の組み合わせにより、樹木に対する美観の向上に資することができる。また、樹木の周りの地面は置石により覆われるので、効果的に雑草が生えることを防ぐことができる。
請求項２に記載の考案は、前記樹木挿通穴が形成される接合面を構成する石片同士を互いに固定する石片固定手段を設けることにより、樹木の生長によって樹木挿通穴が外側へ押し広げられて置石が分解してしまうことを防ぐことができる。さらに、樹木を小さく保つことが望ましい場合には、固定される樹木挿通穴により樹木の生長を規制することができる。
請求項３に記載の考案は、前記樹木挿通穴が形成される接合面を構成する石片同士を交換することにより、前記樹木挿通穴の大きさを変更することができるので、樹木の生長に合わせて樹木挿通穴を大きくしていくことで、樹木の成長に柔軟に対応することができる。
請求項４に記載の考案は、前記樹木挿通穴内壁に弾性体により形成される円筒体からなる間隙充填部材を有することで、樹木挿通穴から表出する地面を完全になくすことができ、これにより雑草の発生をより抑制することができる。
請求項５に記載の考案は、前記樹木挿通穴は、前記樹木の幹に内壁がほぼ接するものであって、少なくとも前記樹木の幹の２倍以上の深さを有するので、樹木自体を本樹木装飾用置石が支持するこができる。これにより、樹木の根付けをよくするために、木材を組み合わせて形成される支持部材に代えて本樹木装飾用置石を利用することができ、木材を組み合わせた支持部材を用いる場合に比較して、やはり美観の向上に資することができる。
【考案を実施するための最良の形態】
【０００６】
以下、本考案の実施形態について、図を参照しながら説明する。
（実施形態１）
図１に実施形態１に係る樹木装飾用置石Ｘの斜視図を示し、図２に樹木装飾用置石Ｘの分解斜視図を示す。樹木装飾用置石Ｘは２つの石片１１、１２が組み合わさって形成される置石である。この置石は、上面が平らに削られた台状の形をしている。そして、石片１１、１２が互いに合わさる接合面１１ａ、１２ａが存する位置に、樹木を通すための穴である樹木挿通穴２０が形成される。樹木挿通穴２０は図２に示すように、各石片１１、１２の接合面１１ａ、１２ａをカマボコ状にくりぬいた凹部を形成する。また、石片１１、１２の上面には、石片１１、１２が組み合わさった際に、両者を締結するかすがい３０の先端が嵌入できる穴であるかすがい穴１１ｂ、１２ｂが形成されている。さらに、石片１１、１２の接合面近傍の側面には、石片１１、１２が組み合わさった際に、ほぼ平行に側方に突出する埋込ボルト１１ｃ、１２ｃが設けられている。この埋込ボルトは図１、２では表れない裏面側にも設けられている。この埋込ボルト１１ｃと１２ｃは、埋込ボルト１１ｃ、１２ｃがそれぞれ通ることができる２つの長穴が設けられた長方形状の板体である締結板４１とナット４２とにより互いに固定される。
【０００７】
次に、このような構成を有する樹木装飾用置石Ｘの使用方法について説明する。まず、対象となる樹木Ｔを幹が樹木挿通穴２０内に収まるように石片１１、１２により挟みこんで、石片１１、１２を組み合わせ、その後、かすがい穴１１ｂ、１２ｂにかすがい３０の先端を嵌め込み、さらに、埋込ボルト１１ｃ、１２ｃに締結板４１のそれぞれの穴を通して、ナット４２により締結する。これにより、図１に示すような状態となる。図に示すように、樹木の周りに単体の樹木装飾用置石Ｘが配置されることで美観が高まり、また、樹木装飾用置石Ｘに覆われる地面から雑草が生えることが抑制される。また、石片１１、１２の接合面１１ａ、１１ｂ同士がかすがい３０、埋込ボルト１１ｃ、１２ｃと締結板４１とナット４２とにより固定されるので、樹木が生長しても石片１１、１２がずれることがない。また、図３の樹木装飾用置石Ｘの破断斜視図に示すように、樹木が生長しても樹木挿通穴２０に囲まれた部分は成長が抑制されるので、樹木を大きくしたくない場合に樹木の成長を抑制する部材としての機能を果たすことができる。
また、樹木挿通口２０の深さは、ここでは樹木の幹太さの約３倍に形成しており、樹木挿通口２０を内壁に樹木の幹がほぼ接するような大きさに形成すると、樹木装飾用置石Ｘにより樹木を支持することができる。即ち、樹木装飾用置石Ｘを樹木の根付けをよくするための支持部材として使用することができる。この場合、樹木挿通口２０の深さは、幹の太さの２倍以上あることが望ましく、深ければそれだけ安定させることができる。
【０００８】
（実施形態２）
図４に実施形態２に係る樹木装飾用置石Ｙの斜視図を示す。本樹木装飾用置石Ｙは６つの石片５１、５２、５３、５４、５５、５６が組み合わさって扁平な円筒状に形成される置石である。石片５１、５２は２つで全体の直径の約半分の直径をもつ底面を持つ円筒を形成するものであり、この円筒を立てに半分に割った形状をしている。そして、石片５１、５２が互いに合わさる接合面５１ａ、５２ａが存する位置に、樹木を通すための穴である樹木挿通穴６０が形成される。樹木挿通穴６０は、やはり、各石片５１、５２の接合面をカマボコ状にくりぬいた凹部を形成する。石片５３、５４、５５、５６は４つで石片５１、５２により形成される円筒を囲むドーナツ状に形成され、内部の円柱状の空間と石片５１、５２により形成される円筒の形状がほぼ一致する。石片５３、５４、５５、５６の上面の互いの接合面近傍には、接合面間を連結するかすがい７０の先端が嵌入できる穴かすがい穴５３ｂ、５４ｂ、５５ｂ、５６ｂが形成されている。
【０００９】
次に、以上のような構成を有する樹木装飾用置石Ｙの使用方法について説明する。まず、対象となる樹木Ｔを幹が樹木挿通穴６０内に収まるように石片５１、５２により挟みこんで、石片５１、５２を組み合わせる。次に、石片５１、５２により形成される円筒の外周に石片５３、５４、５５、５６を組み合わせて配置し、かすがい７０の先端を各かすがい穴５３ｂ、５４ｂ、５５ｂ、５６ｂに嵌入することで石片５３、５４、５５、５６を互いに固定する。これにより、石片５１、５２も間接的に固定されることとなる。この状態で、やはり樹木装飾用置石Ｙにより美観が高められるとともに、雑草が生えることを防ぐことができる。そして、樹木装飾用置石Ｙは、樹木挿通穴６０が存する接合面を構成する石片５１、５２を交換することで樹木挿通穴６０の大きさを変えることができる。即ち、図５（ａ）（ｂ）に示すような、外径が同じで樹木挿通穴６０の内径が異なる２種類の石片５１、５２を用意しておけば、石片５１、５２を交換すれば樹木挿通穴６０の大きさを変えることができる。即ち、樹木の生長に合わせて樹木挿通穴６０の大きさを変えることで、樹木挿通穴６０による植物の生長を阻害しないようにすることができる。なお、交換用の石片は２種類のみならず３種類以上用意しておいてよいことは言うまでもない。
【００１０】
（実施形態３）
図６の実施形態３に係る樹木装飾用置石Ｚの一部破断斜視図を示す。樹木装飾用置石Ｚは、２つの石片８１、８２が組み合わさって扁平な上底面が正方形の直方体状に形成される置石である。石片８１、８２の接合面８１ａ、８１ｂには互いに係合する段差が設けられている。そして、石片８１、８２が互いに合わさる接合面８１ａ、８２ａが存する位置に、樹木を通すための穴である樹木挿通穴９０が形成される。樹木挿通穴９０は、円筒状の空間を形成する穴であるが、底面側はより直径の大きな扁平な円筒状の空間が形成されている。そして、この樹木挿通穴９０内部には、樹木相通穴９０の内壁に沿うような外径を有する段差のある円筒状の合成樹脂スポンジにより形成される間隙充填部材１００が設けられている。間隙充填部材１００の内径は対象となる樹木の幹よりやや小さく形成され、また、外表面から内面に至る切れ目１００ａが形成されている。さらに、石片８１、８２の上面には、石片８１、８２が組み合わさった際に、両者を締結するかすがい１１０の先端が嵌入できる穴であるかすがい穴８１ｂ、８２ｂが形成されている。
【００１１】
次に、以上のような構成を有する樹木装飾用置石Ｚの使用方法について説明する。まず、間隙充填部材１００の切れ目１００ａを開いて間隙充填部材１００の内部に対象となる樹木Ｔの幹が入るようにして、間隙充填部材１００を樹木に固定する。次に、樹木Ｔの幹と間隙充填部材１００とが樹木挿通穴９０内に収まるように石片８１、８２により挟みこんで、石片８１、８２の段差になった接合面８１ａ、８２ａを組み合わせ、かすがい１１０の先端を各かすがい穴８１ｂ、８２ｂに嵌入することで石片８１、８２を互いに固定する。この状態で、やはり樹木装飾用置石Ｚにより美観が高められるとともに、雑草が生えることを防ぐことができる。そして、石片８１、８２の接合面８１ａ、８２ａが段差を形成することにより、接合面同士に多少の隙間があっても地表に光が届くことは無く、また、間隙充填部材１００により樹木挿通穴９１部分から樹木の根元周辺にも光が届くことが無いので、雑草の発生をより抑制することができる。また、間隙充填部材１００はスポンジにより形成されているので、上方からの水分を下方に流すことができるので、樹木に対する給水に資することができる。
【００１２】
（実施形態４）
図７に実施形態に係る樹木装飾用置石Ｗの斜視図を示す。本樹木装飾用置石Ｗはほぼ実施形態１に係る樹木装飾用置石Ｗと同じである。相違点は石片１２が石片１３に置き換わっている点である。石片１３は石片１２を接合面１２ａにほぼ垂直な方向に全体を伸ばして上面に手水鉢１３ｄを形成したものである。
このように石片１３に手水鉢１３ｄのような構成を設けることで、単なる置石とは異なるものとして、景観に趣きを与えることができる。
【００１３】
なお、上記実施形態では、一つの接合面が合わさる位置に樹木挿通穴を設けているが、３つ以上の接合面が合わさり交わる位置に樹木挿通穴を設けてもよい。具体例を、図８の樹木装飾用置石Ｖの平面図に示す。図８に示すように８つの石片１２１、１２２、１２３、１２４、１２５、１２６、１２７、１２８により形成される樹木装飾用置石Ｖは、８つの接合面が合わさり交わる位置に樹木挿通穴１３０が形成されている。このように複数の接合面が合わさって交わる位置に樹木挿通穴を設けることは、対象となる樹木が大きい場合に石片を細かくすることができるので、運搬や施工時に労力を低減することができる。
また、上記各実施形態では樹木挿通穴は円形の断面形状をしているが、樹木挿通穴の形状はこれに限られず、四角や三角等種々の断面形状を採ることができる。
【図面の簡単な説明】
【００１４】
【図１】実施形態１に係る樹木装飾用置石を示す斜視図である。
【図２】実施形態１に係る樹木装飾用置石を示す分解斜視図である。
【図３】実施形態１に係る樹木装飾用置石が樹木の生長を規制する状態を示す一部破断斜視図である。
【図４】実施形態２に係る樹木装飾用置石を示す斜視図である。
【図５】（ａ）（ｂ）ともに、交換用の樹木挿通口を有する石片の斜視図である。
【図６】実施形態３に係る樹木装飾用置石を示す一部破断斜視図である。
【図７】実施形態４に係る樹木装飾用置石を示す斜視図である。
【図８】樹木挿通口の形成位置の変形例を示す樹木装飾用置石の平面図である。
【符号の説明】
【００１５】
Ｘ、Ｙ、Ｚ、Ｗ、Ｖ  樹木装飾用置石
１１、１２、１３、５１、５２、５３、５４、５５、５６、８１、８２  石片
１１ａ、１２ａ、５１ａ、５２ａ、８１ａ、８２ａ  接合面
１１ｂ、１２ｂ、５３ｂ、５４ｂ、５５ｂ、５６ｂ、８１ｂ、８２ｂ  かすがい穴
１１ｃ、１２ｃ  埋込ボルト
２０、６０、９０  樹木挿通穴
３０、７０、１１０  かすがい
４１  締結板
４２  ナット
１１１  間隙充填部材
【図１】
0003116824.tif 000003
【図２】
0003116824.tif 000004
【図３】
0003116824.tif 000005
【図４】
0003116824.tif 000006
【図５】
0003116824.tif 000007
【図６】
0003116824.tif 000008
【図７】
0003116824.tif 000009
【図８】
0003116824.tif 000010